(57)【要約】セルラー式ラジオ通信システムのような通信システムにおいて、符号化情報又は電力レベル制御命令などの変調スキーム選択情報は、帯域幅を広げず、かつ更なる送信遅延なしに送信器から受信器に効率的に転送される。これは、データ符号位相回転技術を使用することにより達成され、データ符号のシーケンス、例えば、与えられたチャネルの伝搬特性を推定するために使用されるとレーニンス符号のシーケンスは、受信器に転送される情報に固有に対応する位相回転因子に従って位相回転される。受信器においては、受信器がトレーニングシーケンスを復元するまで逆回転される。これにより、受信器は送信器で符号を回転するために使用される位相回転因子を決定することができる。一方、送信器は対応する送信情報を識別する。
2004513531.tif 000002
【特許請求の範囲】
【請求項１】
デジタル通信システムにおいて、送信器から受信器へシグナリング情報を送信する方法であって
データに加えて、前記送信器から前記受信器に転送される複数の情報信号の１つを識別する工程と、
共通位相回転因子によって１つ又は複数の符号の各々を回転する工程と、前記位相回転因子は前記送信器から前記受信器に転送されるべき前記情報信号の１つを固有に識別し、
前記受信器へ１つ又は複数の位相回転された符号の各々を送信する工程と
を備えることを特徴とする方法。
【請求項２】
前記受信器において、前記１つ又は複数の位相回転符号を含む信号を受信する工程と、
前記位相回転符号に対応する前記受信信号のサンプルを生成する工程と、
前記１つ又は複数の符号の各々と関連する値を復元するために前記サンプルを逆回転する工程と、
前記１つ又は複数の符号の各々と関連づけて復元するために必要な前記位相回転因子の関数として前記送信器から前記受信器へ転送される前記情報信号の１つを識別する工程と
を更に備えることを特徴とする請求項１に記載の方法。
【請求項３】
前記情報信号は、複数の信号電力制御命令の１つを表している
ことを特徴とする請求項１に記載の方法。
【請求項４】
前記情報信号は、複数の変調スキームの１つを表している
ことを特徴とする請求項１に記載の方法。
【請求項５】
前記情報信号は、符号化情報を表している
ことを特徴とする請求項１に記載の方法。
【請求項６】
前記１つ又は複数の符号は、トレーニング符号である
ことを特徴とする請求項１に記載の方法。
【請求項７】
前記１つ又は複数の符号は、トレーニング及びデータ符号の両方を含む
ことを特徴とする請求項１に記載の方法。
【請求項８】
デジタル通信システムにおいて、送信器から受信器に変調情報を転送する方法であって、
複数の変調スキームの１つを選択する工程と、
前記複数の変調スキームから選択された１つに従ってトレーニング符号のシーケンスを変調する工程と、
前記複数の変調スキームから選択された１つに対応する位相回転因子を識別する工程と、少なくとも１つの固有位相回転因子は前記複数の変調スキームの各々と関連付けられており、
前記複数の変調スキームから選択された１つと対応する前記識別された位相回転因子の関数として前記トレーニング符号の各々の位相を回転する工程と、
前記位相回転トレーニング符号のシーケンスを前記受信器に送信する工程と、
前記受信器において、各位相回転因子の関数として前記受信した位相回転トレーニング符号のシーケンスを逆回転することにより、各位相回転因子に対する逆回転トレーニング符号のシーケンスを生成する工程と、
逆回転トレーニング符号のシーケンスの各々と期待トレーニング符号のシーケンスとを比較する工程と、
最も正確な前記期待トレーニング符号のシーケンスを概算する逆回転トレーニング符号のシーケンスを識別する工程と、
前記期待トレーニング符号のシーケンスを最も近似に概算した前記逆回転トレーニング符号のシーケンスを生成した前記位相回転因子に基づいて前記複数の変調スキームから選択された１つを識別する工程と
を備えることを特徴とする方法。
【請求項９】
逆回転トレーニング符号のシーケンスの各々に対するチャネル推定を導出する工程と、
逆回転トレーニング符号のシーケンスの各々と前記期待トレーニング符号のシーケンスとを比較する前に、比較対象とする前記期待トレーニング符号のシーケンスと、前記逆回転トレーニング符号のシーケンスに対応して前記導出されたチャネル推定の関数として前記期待トレーニング符号のシーケンスを調整する工程と
を更に備えることを特徴とする請求項８に記載の方法。
【請求項１０】
前記複数の変調スキームの１つを選択する工程は、リンク特性適合査定値の関数である
ことを特徴とする請求項８に記載の方法。
【請求項１１】
前記送信器から前記受信器に送信される前記トレーニング符号のシーケンスは、２つ又はそれ以上の変調スキームに対し同じである
ことを特徴とする請求項８に記載の方法。
【請求項１２】
前記複数の変調スキームから選択された１つは、ガウス最小シフトキーイングに関係している
ことを特徴とする請求項８に記載の方法。
【請求項１３】
前記複数の変調スキームから選択された１つは、４位相シフトキーイングに関係する
ことを特徴とする請求項８に記載の方法。
【請求項１４】
前記複数の変調スキームから選択された１つは、８位相シフトキーイングに関係する
ことを特徴とする請求項８に記載の方法。
【請求項１５】
デジタル通信システムにおいて、送信器から受信器へデータと一緒に送信されるシグナリング情報を識別する方法であって、
前記送信器から送信された符号のシーケンスを含む信号を受信する工程と、前記符号はトレーニング符号とデータ符号を含み、前記符号のシーケンス中の各符号と関連する位相は前記シグナリング情報に対応する共通位相回転因子に従って前記送信器で回転されており、
前記送信された符号のシーケンスに対応するサンプルを前記受信信号から生成する工程と、
前記共通位相回転因子に従って前記サンプルを逆回転することによって前記送信された符号のシーケンスを復元する工程と、
前記送信された符号のシーケンスを復元するために使用される前記共通位相回転因子の関数として前記シグナリング情報を識別する工程と
を備えることを特徴とする方法。
【請求項１６】
複数の異なる位相回転因子に従って前記サンプルの各々を逆回転する工程と、前記複数の異なる位相回転因子の各々は異なるシグナリング情報に対応し、前記異なる位相回転因子の各々に従う前記サンプルの逆回転は、前記異なる位相回転因子の各々に対する逆回転サンプルのシーケンスとなり、
逆回転サンプルのシーケンスの各々と期待符号のシーケンスと比較する工程と、
前記期待符号のシーケンスに最も適合する前記逆回転サンプルのシーケンスと関連する前記位相回転因子を識別する工程と
を備えることを特徴とする方法。
【請求項１７】
デジタル通信システムにおいて、送信器から受信器にシグナリング情報を送信する装置であって、
データに加えて、前記送信器から前記受信器へ転送される複数の情報信号の１つを識別する手段と、
１つ又は複数の符号の各々を共通位相回転因子により回転する手段と、前記位相回転因子は前記送信器から前記受信器に転送される前記情報信号の１つを固有に識別し、
前記１つ又は複数の位相回転符号の各々を前記受信器に送信する手段と
を備えることを特徴とする装置。
【請求項１８】
前記受信器において、前記１つ又は複数の位相回転符号を含む信号を受信する手段と、
前記位相回転符号に対応する前記受信信号のサンプルを生成する手段と、
前記１つ又は複数の符号の各々に関連する値を復元するために前記サンプルを逆回転する手段と、
前記１つ又は複数の符号の各々と関連する値を復元するために必要な前記位相回転因子の関数として前記送信器から前記受信器に伝送される前記情報信号の１つを識別する手段と
を更に備えることを特徴とする請求項１７に記載の装置。。
【請求項１９】
前記情報信号は、複数の信号電力制御命令の１つを表している
ことを特徴とする請求項１７に記載の装置。
【請求項２０】
前記情報信号は、複数の変調スキームの１つを表している
ことを特徴とする請求項１７に記載の装置。
【請求項２１】
前記情報信号は、符号化情報を表している
ことを特徴とする請求項１７に記載の装置。
【請求項２２】
前記１つ又は複数の符号は、トレーニング符号である
ことを特徴とする請求項１７に記載の装置。
【請求項２３】
前記１つ又は複数の符号は、トレーニング及びデータ符号の両方を含む
ことを特徴とする請求項１７に記載の装置。
【請求項２４】
デジタル通信システムにおいて、送信器から受信器に変調情報を転送する装置であって、
複数の変調スキームの１つを選択する手段と、
前記複数の変調スキームから選択された１つに従ってトレーニング符号のシーケンスを変調する手段と、
前記複数の変調スキームから選択された１つに対応する位相回転因子を識別する手段と、少なくとも１つの固有位相回転因子は前記複数の変調スキームの各々と関連付けられており、
前記複数の変調スキームから選択された１つと対応する前記識別された位相回転因子の関数として前記トレーニング符号の各々の位相を回転する手段と、
前記位相回転トレーニング符号のシーケンスを前記受信器に送信する手段と、
前記受信器において、各位相回転因子の関数として前記受信した位相回転トレーニング符号のシーケンスを逆回転することにより、各位相回転因子に対する逆回転トレーニング符号のシーケンスを生成する手段と、
逆回転トレーニング符号のシーケンスの各々と期待トレーニング符号のシーケンスとを比較する手段と、
最も正確な前記期待トレーニング符号のシーケンスを概算する逆回転トレーニング符号のシーケンスを識別する手段と、
前記期待トレーニング符号のシーケンスを最も近似に概算した前記逆回転トレーニング符号のシーケンスを生成した前記位相回転因子に基づいて前記複数の変調スキームから選択された１つを識別する手段と
を備えることを特徴とする装置。
【請求項２５】
逆回転トレーニング符号のシーケンスの各々に対するチャネル推定を導出する手段と、
逆回転トレーニング符号のシーケンスの各々と前記期待トレーニング符号のシーケンスとを比較する前に、比較対象とする前記期待トレーニング符号のシーケンスと、前記逆回転トレーニング符号のシーケンスに対応して前記導出されたチャネル推定の関数として前記期待トレーニング符号のシーケンスを調整する手段と
を更に備えることを特徴とする請求項２４に記載の装置。
【請求項２６】
前記複数の変調スキームの１つを選択する手段は、リンク特性適合査定値の関数である
ことを特徴とする２４に記載の装置。
【請求項２７】
前記送信器から前記受信器に送信される前記トレーニング符号のシーケンスは、２つ又はそれ以上の変調スキームに対し同じである
ことを特徴とする２４に記載の装置。
【請求項２８】
前記複数の変調スキームから選択された１つは、ガウス最小シフトキーイングに関係している
ことを特徴とする２４に記載の装置。
【請求項２９】
前記複数の変調スキームから選択された１つは、４位相シフトキーイングに関係する
ことを特徴とする２４に記載の装置。
【請求項３０】
前記複数の変調スキームから選択された１つは、８位相シフトキーイングに関係する
ことを特徴とする２４に記載の装置。
【請求項３１】
デジタル通信システムにおいて、送信器から受信器へデータと一緒に送信されるシグナリング情報を識別する装置であって、
前記送信器から送信された符号のシーケンスを含む信号を受信する手段と、前記符号はトレーニング符号とデータ符号を含み、前記符号のシーケンス中の各符号に関連する位相は前記シグナリング信号情報と対応する共通位相回転因子に従って前記送信器で回転されており、
前記送信された符号のシーケンスに対応するサンプルを前記受信信号から生成する手段と、
前記共通位相回転因子に従ってサンプルを逆回転することによって前記送信された符号のシーケンスを復元する手段と、
前記送信された符号のシーケンスを復元するために使用される前記共通位相回転因子の関数として前記シグナリング情報を識別する手段と
を備えることを特徴とする装置。
【請求項３２】
複数の異なる位相回転因子に従って前記サンプルの各々を逆回転する手段と、前記複数の異なる位相回転因子の各々は異なるシグナリング情報に対応し、前記異なる位相回転因子の各々に従う前記サンプルの逆回転は、前記異なる位相回転因子の各々に対する逆回転サンプルのシーケンスとなり、
逆回転サンプルのシーケンスの各々と期待符号のシーケンスとを比較する手段と、
前記期待符号のシーケンスに最も適合する前記逆回転サンプルのシーケンスと関連する前記位相回転因子を識別する手段と
を備えることを特徴とする装置。
【発明の詳細な説明】
【０００１】
発明の分野
本発明は、一般的なデジタル通信方式に関するものである。さらに詳しくは、本発明は、帯域幅要求を増大することなく、また送信遅延を引き起こさない送信器から受信器への情報送信に関するものである。
【０００２】
発明の背景
デジタル通信システムは、概して、音声、データおよび／または制御情報などの情報を通信するために１つ又はそれ以上の変調スキームを使用する。これらの変調スキームには、ＧＭＳＫ（ガウス最小限シフトキーイング）、Ｍ−ａｒｙ　ＱＡＭ（４相振幅変調）または、Ｍ−ａｒｙ　ＰＳＫ（位相シフトキーイング）などが含まれ、ここで、Ｍはそれぞれの変調スキームに特定された変調符号数を示している。それぞれの変調符号は、それぞれの送信情報符号に対応する。例えば、Ｍ＝２の変調スキームでは、ただ２つの異なる特定変調符号が有るだけである。ここで、Ｍ＝２変調スキームはバイナリ変調スキームと称する。
【０００３】
それぞれの変調形式は通信チャネルの品質によって異なった影響を受けることがあり、即ち、それぞれの方式は歪や時間分散のＣ／Ｉ率の類いに対してより以上またはより以下に敏感なことがある。従って、それぞれの変調スキームは異なったレベルの耐性を持つと言われる。一般に、変調符号数が増大するにつれ、即ち、Ｍ値が増大するにつれ、変調スキームはより耐性が下がる傾向がある。しかし、変調スキームの耐性に影響するその他の因子がある。例えば、符号率である。符号率は与えられた変調スキームに対し、また異なった変調スキーム間で、別々に特定されることがある。
【０００４】
例えば、情報ビット率やエラー率などに関して、充分な通信特性を確保するため、リンク適合が利用される。例えば、ノイズレベル、干渉、経路損失、および時間分散などにより影響されるかもしれない通信チャネルの（経時）特性によって、リンク適合法は、エラー率、スループットなどの類いに添ってユーザ要求を満足するリンク特性を得るために適切な変調スキーム、チャネル符号化、ソース符号化、帯域幅および信号電力レベルが選択されることを保証する。実際の効果をあげるためには、リンク適合技術は、比較的短時間の間にチャネル条件を監視および／または測定可能でなければならない。そして、現存するチャネル条件に基づき、そのシステムが変調スキームまたはリンク特性を最適化する方式を選定する。
【０００５】
時分割多重アクセス（ＴＤＭＡ）を使用する通信システムは、利用可能な周波数帯域をいくつかのＲＦチャネルに分割する。これらのＲＦチャネルは、さらにいくつかの物理チャネルまたはタイムスロットに分割される。音声、データおよび／または制御情報は、次に、バーストで送信され、そのときのバーストは物理チャネルまたはタイムスロットに対応する。ＴＤＭＡに基づいたシステムでは、リンク適合および変調選定は、概して、バースト毎に達成される。しかし、リンク適合はＴＤＭＡシステムに限定されないことは理解されるであろう。どちらかと言えば、リンク適合は、他のアクセス原理に基づいたシステムにおいても実行される。例えば、ＣＤＭＡ（符号分割多重アクセス）システムにおいては、例えば、要求するリンク特性を達成するために、符号化、変調および拡散因子を変更してもよい。
【０００６】
いかなるリンク適合または変調選定技術でも、その重点は、送信器がある特定の情報バーストのために選ばれた変調スキームの受信器にどのように情報を伝えるかにある。おそらく、ある特定の情報バーストに関連する変調スキームについて受信器に情報を転送するもっとも簡単な技術は、前もって受信器とのシグナリングを行うことに関係する。しかし、この技術は追加のオーバヘッド（即ち、帯域幅要求増大）をもたらし、それが又送信遅延の結果となり、大いに好ましくない。
【０００７】
受信器に変調選定情報を転送するもう１つの技術は、トレーニングシーケンスの使用に関係する。当業者は容易に理解するように、トレーニングシーケンスは概してチャネルの歪およびノイズ特性を推定するために受信器で利用される。例えば、トレーニングシーケンスを受信したら、受信器は受信したトレーニングシーケンスに関連する値を、期待トレーニングシーケンスに関連する値と比較する。受信器は、次に、チャネルを特徴づける（即ち、チャネルを推定する）ためにその相違を利用する。
【０００８】
変調選定情報を受信器に転送するためにトレーニングシーケンスを使用するため、１つまたはそれ以上のトレーニングシーケンスが変調スキームのそれぞれに割り当てられなければならない。しかし、この解決法もいくつかの不利な点がある。良好な自己相関特性を有する充分な数の固有トレーニングシーケンスを識別することが困難であることがまず第一にある。また、追加トレーニングシーケンスの各々を記憶するための追加メモリを必要とする。さらに、追加トレーニングシーケンスを取扱うために追加管理ソフトウェアが必要となる。
【０００９】
理想的には、受信器がある特定の情報バーストに関連する変調スキームを送信器から事前シグナリングせずに決定しうるべきであり、この事前シグナリングは帯域幅損失および送信遅延を導入するからである。また、等化プロセスは複雑で変調に依存するので、受信器はチャネル推定プロセス（即ち、等化プロセス以前の）変調スキームを決定しうるべきである。さらには、受信器は、各または少なくとも２つまたはそれ以上の変調スキームが同じトレーニングシーケンスおよび符号率を使用いるという事実に依存しない変調スキームを検出しうるべきである。
【００１０】
本発明の要約
本発明は、通信システムの送信器が、送信帯域幅をを増大させず、またいかなる顕著な送信遅延をも導入させずに、変調形式に関する情報などのシグナリング情報を受信器へ送信させる技術に関係する。一般に、本発明は、符号配置位相回転技術を使用することで達成する。
【００１１】
従って、本発明の目的は、変調情報などの送信情報を送信器から事前シグナリングなしで通信システムの受信器に転送することである。
【００１２】
本発明のもう１つの目的は、送信情報を追加のオーバヘッド（即ち、帯域幅要求の増大）なしで通信システムの受信器に転送することである。
【００１３】
本発明のさらにもう１つの目的は、受信器が等化以前のトレーニングシーケンスに依存しない情報とチャネル推定中に使用される符号率を認識し、送信情報を通信システムの受信器に転送することである。
【００１４】
本発明の構成に従って、上記およびその他の目的が、シグナリング情報を送信器から受信器へ送信する方法および／または装置により達成される。この方法および／または装置は送信器から受信器へ転送されるべき複数の情報信号の１つをデータに加えて識別し、そして、共通位相回転因子により１つまたはそれ以上の符号の各々を回転することに関係し、この位相回転因子は送信器から受信器へ転送すべき１つの情報信号を固有に識別する。１つまたはそれ以上の位相回転符号の各々は、次に、受信器へ送信される。
【００１５】
本発明の構成に従って、上記およびその他の目的が、変調情報を送信器から受信器へ転送する方法および／または装置により達成される。この方法および／または装置は、複数の変調スキームの１つを選定し、選定された複数の変調スキームの１つに従ってトレーニング符号のシーケンスを変調することに関係する。次に、位相回転因子が識別され、これは選定された複数の変調スキームの１つに対応し、少なくとも固有位相回転因子は複数の変調スキームの各々に関連する。それぞれのトレーニング符号の位相は、選定された複数の変調スキームの１つに対応する識別された位相回転因子の関数として回転され、そして、位相回転されたトレーニング符号のシーケンスは受信器へ送信される。受信器においては、逆回転トレーニング符号のシーケンスが、受信した位相回転されたトレーニング符号のシーケンスを各位相回転因子の関数として逆回転することによって各々の位相回転因子に対し生成される。逆回転トレーニング符号の各シーケンスは、次に、期待トレーニング符号のシーケンスと比較され、その期待トレーニング符号のシーケンスをもっとも正確に概算する逆回転トレーニング符号のシーケンスが識別される。そして、選定された複数の変調スキームの１つは、期待トレーニング符号のシーケンスを最も近似に概算した逆回転トレーニング符号のシーケンスを生成した位相回転因子に基づいて識別される。
【００１６】
本発明のさらに別の構成に従って、上記およびその目的が、送信器から受信器へデータと共に送信されるシグナリング情報を識別する方法および／または装置により達成される。この方法および／または装置は、送信器から送信される符号のシーケンスを含む信号を受信することに関係し、その符号はトレーニング符号およびデータ符号を含み、そして、符号のシーケンス中の各符号に関連する位相はシグナリング情報に対応する共通位相回転因子に従って送信器で回転されている。送信された符号のシーケンスに対応するサンプルが受信信号から生成される。次に、送信された符号のシーケンスが共通位相回転因子に従ってサンプルを逆回転することによって復元され、そして、シグナリング情報は送信された符号のシーケンスを復元するために使用される共通位相回転因子の関数として識別される。
【００１７】
本発明の目的および利点は下記の詳細な説明を図面と合わせて読解することで理解されるであろう。
【００１８】
発明の詳細な説明
本発明は、セルラー式無線電話システムなどの通信システムの送信器が受信器に通信データのバーストに関連して選定された変調スキームに関係する情報などのシグナリング情報を、事前シグナリングすることなく、送信帯域幅を増大させず、そして送信遅延を増大することなく発信できる送信技術を必要とする。しかし、以下にさらに詳細に説明するように、本発明が、変調情報以外にその他の種類の送信情報を効率的に転送するために利用できることを、当業者は容易に理解するであろう。一般に、本発明は、送信対象のシグナリング情報に固有に関連する角度量によって送信対象の符号の位相を回転することによって上記の性能を提供し、この符号はトレーニング符号のシーケンスを含んでも良い。従って、受信器は送信器において符号に与えられる位相回転の量に基づいてシグナル情報を確認できる。
【００１９】
図１Ａおよび図１Ｂは、本発明の基本的概念を示す。さらに詳しくは、図１Ａは、Ｎ、Ｎ＋１、Ｎ＋２およびＮ＋３の４つの符号からなる符号のシーケンス（例えば、トレーニング符号のシーケンス）を送信する送信器を示している。図１Ａに示されている例において、各符号は単一のバイナリビット値を表わし、ここで、符号Ｎは０に等しく、符号Ｎ＋１は１に等しく、符号Ｎ＋２は１に等しく、そして、符号Ｎ＋３は０に等しい。ここで、送信器から受信器へ送信される符号シーケンスは０１１０である。
【００２０】
本発明に従って、変調スキームに固有に関連する所定量の位相回転が各符号に導入される。図１Ａに示された例では、導入された位相回転は−π／４位相回転因子にかかわる。従って、符号Ｎは論理値０および位相回転０（即ち、０＊−π／４）で送信され、符号Ｎ＋１は論理値１および位相回転−π／４（即ち、１＊−π／４）で送信され、符号Ｎ＋２は論理値１および位相回転−π／２（即ち、２＊−π／４）で送信され、符号Ｎ＋３は論理値０および位相回転−３π／４（即ち、３＊−π／４）で送信される。
【００２１】
図１Ａは本発明の送信器に対する基本的概念を示してるが、図１Ｂは本発明の受信器に対する基本的概念を示している。受信器に対し送信されたシーケンス０１１０をリキャプチャーするために、受信器は期待値が検出されるまで各受信サンプルを逆回転しなければならない。奏することにより、受信器は０１１０シーケンスをリキャプチャーするために位相回転因子π／４が必要なことを認識することができる。さらに詳しくは、最初のサンプルＮを受信したら、受信器は期待サンプル値０をリキャプチャーするためにサンプルを逆回転する必要は全くない（即ち、位相回転０＊π／４）。しかし、２番目のサンプルＮ＋１を受信すると、受信器は２番目の期待サンプル値１をリキャプチャーするために受信サンプルをπ／４分だけ逆回転しなければならないことを認識する。３番目のサンプルＮ＋２を受信すると、受信器は３番目の期待サンプル値１をリキャプチャーするために受信サンプルをさらにπ／４（即ち、全位相回転２＊π／４）分だけ逆回転しなければならないことを認識する。同様に、４番目のサンプルＮ＋３を受信すると、受信器は４番目の期待サンプル値０をリキャプチャーするために受信サンプルをまたさらにπ／４（即ち、全位相回転３＊π／４）分だけ逆回転しなければならないことを認識する。受信器が受信サンプルをπ／４以外の位相回転因子を使用して逆回転したとすると、受信器は０１１０シーケンスをリキャプチャーすることはできないであろう。従って、受信器は、位相回転因子（例えば、−π／４）を変調スキームの指示として使用することができる。本実施形態では、変調スキームを決定するプロセスはチャネル推定中になされるので、変調スキームはチャネル等化プロセス以前に把握されている。
【００２２】
図２Ａ−図２Ｄは本発明の実施形態をよりよく示すための２つ目の例を提供する。図２Ａ−図２Ｄに示される例では、チャネルが歪やノイズを導入しない（即ち、送信信号は受信信号と同一である）と仮定する。また、通信システムが２つの変調スキーム、例えば、４−ＰＳＫおよび８−ＰＳＫを使用していると仮定する。さらに、両変調スキームが同じバイナリトレーニングシーケンス０１１０を使用していると仮定する。トレーニングシーケンスがバイナリトレーニングシーケンスであるため、各符号（即ち、各ビット）は図４Ａ−図４Ｂに示されているように、４−ＰＳＫおよび８−ＰＳＫの両スキームに対する符号配置の２点のうち１つを識別する。本実施形態では、図４Ａ−図４Ｂは、また、４−ＰＳＫおよび８−ＰＳＫの両スキームに対する符号配置の同じ２点がトレーニング中に、例えば、点０およびπに対し使用されていることを示している。しかし、本発明の位相回転技術がより長いおよび／または非バイナリトレーニングシーケンスで使用できることが理解されるであろう。
【００２３】
すでに説明したように、各変調スキームは固有位相回転因子が割り当てられる。本例中では、４−ＰＳＫ変調スキームは位相回転因子−π／４が割り当てられる。８−ＰＳＫ変調スキームは位相回転因子−π／８が割り当てられる。
【００２４】
図２Ａは送信対象の符号Ｎ、Ｎ＋１、Ｎ＋２およびＮ＋３のシーケンスを具体的に示しており、ここで、最初の符号Ｎは０に等しく、２番目の符号Ｎ＋１は１に等しく、３番目の符号Ｎ＋２は１に等しく、そして、４番目の符号Ｎ＋３は０に等しい。図２Ａ中の４つの符号、Ｎ、Ｎ＋１、Ｎ＋２およびＮ＋３はまだ回転されていないことに注意すべきである。
【００２５】
図２Ｂでは、４−ＰＳＫ変調スキームが現在使われているので、４つの符号が位相回転因子−π／４を使用して送信器で回転されるが、既述のように、トレーニング中は４−ＰＳＫ符号配置の４点のうち２つだけが使われている。従って、最初の符号Ｎはシフトされないままで、２番目の符号Ｎ＋１は−π／４だけ回転され、３番目の符号Ｎ＋２はさらに−π／４だけ、合わせて−π／２に等しい回転量で（即ち、−２π／４）で回転され、そして、４番目の符号Ｎ＋３はさらにもう−π／４だけ、合わせて−３π／４に等しい回転量で回転される。
【００２６】
図２Ａ、図２Ｂは位相回転の前後それぞれの送信対象の符号シーケンスを示している。図２Ｃ、図２Ｄは受信器が逆回転した後の受信符号（即ち、サンプル）を示している。本発明の実施形態では、受信器は通信システムに使用されている各変調スキームに関連する位相回転因子を使用して受信したサンプルの各々を逆回転する。本例では、既述のように、４−ＰＳＫおよび８−ＰＳＫの二つの変調スキームがある。最初の変調スキーム、４−ＰＳＫは位相回転因子−π／４が割り当てられており、２番目の変調スキーム、８−ＰＳＫは位相回転因子−π／８が割り当てられている。従って、図２Ｃは受信器が位相回転因子π／４で、それぞれを逆回転した後のサンプルＮ、Ｎ＋１、Ｎ＋２、Ｎ＋３のシーケンスを示している。これに対し、図２Ｄは受信器が位相回転因子π／８で、それぞれを逆回転した後のサンプルＮ、Ｎ＋１、Ｎ＋２、Ｎ＋３のシーケンスを示している。図２Ｃを図２Ｄと比較すると、適切な位相回転因子、本ケースではπ／４で受信したサンプルを逆回転することによってのみ受信器は期待シーケンス０１１０を復元することができるということを当業者は理解するであろう。従って、受信器は、期待シーケンス０１１０を復元するために必要な位相回転因子に基づいて、現行の変調スキームが８−ＰＳＫではなく４−ＰＳＫであることを判定することができる。
【００２７】
図３Ａ、図３Ｂは本発明に従う送信器および受信器の典型的な機能構成を示している。例えば、図３Ａは送信器３００を示し、ここで、トレーニング符号シーケンスＮ、Ｎ＋１、Ｎ＋２およびＮ＋３は、いくつかの異なる変調スキームＭ（例えば、４−ＰＳＫ）の１つに従って変調される。位相回転選定機能３０５は、そこで選定された変調スキームに対応する適当な位相回転因子１からＲを選定する。トレーニング符号のそれぞれは、そこでそれに応じて回転され、パルス形成フィルタ３１０によってフィルタリングされ、そして、目的の受信器へ送信される。本発明の実施形態では、トレーニング符号と共に送信されるデータを表す符号も同様な位相回転因子に従って回転されることが理解されるであろう。
【００２８】
図３Ｂは目的の受信器３２５を構成する機能構成を示している。最初に、受信信号（即ち、トレーニング符号を含むアナログ符号）は受信器フィルタ３３０によりフィルタリングされ、そして、トレーニング符号に対応するサンプルが生成され、いくつかの位相逆回転モジュール、例えば、位相逆回転モジュール３３５に送信される。名称が示しているように、位相逆回転モジュールのそれぞれは、位相回転因子１−Ｒの１つによって受信トレーニングサンプルを逆回転する。従って、各逆回転モジュールは一組の逆回転トレーニングサンプルを生成する。チャネル推定機能、例えば、チャネル推定機能３４０は、次に、対応する一組の逆回転トレーニングサンプルに基づいてチャネル推定を行う。チャネルフィルタリング機能、例えば、チャネルろか機能３４５は、次に、期待トレーニングシーケンス３５０を対応するチャネル推定の機能で調整する。期待調整済みトレーニングシーケンスは、次に、対応するエラー信号、例えば、エラー信号３５５を生成するために対応する一組の逆回転トレーニングサンプルと比較される。各一組の逆回転トレーニングサンプルに関連するエラー信号は、そこで比較され、そして、最小量のエラーに関連する変調スキームが識別される。チャネル推定後、識別された変調スキームに関連する位相回転因子を使用して本バーストデータに関連する情報／データサンプルが逆回転される。
【００２９】
通信システムがトレーニングシーケンスを使用しない場合でも、位相回転はシグナリング情報を送信するために使用することができる。トレーニングシーケンスがなければ、受信器は等化の際エラーを最小化するために、パラメータが連続的に変化する適合等化器を有しても良い。このようなエラーは、パラメータ（例えば、等化器のフィルタ係数）を変更するために適合アルゴリズムによって使用され、エラーを減少させる。概して、チャネル特性の変化は急激ではなく、エラーは後で減少するが、初期時は大きいであろう（適正な変調スキームが選定されたと仮定して）。
【００３０】
別の実施例では、本発明は送信器に関しては上述のように実行することができる。しかし、受信器では、異なる逆回転でパラレルチャネル推定を行うかわりに、異なる逆回転を推定してパラレル適合等化が達成される。充分時間が経過した後、パラレル適応性等化分岐で測定されたエラーに基づいて回転因子の選定がで、ここでは、最良の等化分岐のみが継続する。
【００３１】
更に別の実施形態では、受信器は等化器を使用せず同期検出を行う。ＲＡＫＥ受信器はこの能力を持った受信器の例である。ＲＡＫＥ受信器は、この技術分野ではよく知られているように、チャネル推定を行うために電波追跡機能を使用している。
【００３２】
既述のように、ＧＭＳＫは非線形変調スキームであり、例えば、ＧＳＭで使用される。差分事前符号化技術によると、バイナリ情報は、注目ビットが前のビットと同じ場合は＋π／２の位相シフト送信され、また、注目ビットが前のビットと同じでない場合は−π／２の位相シフトで送信される。こうのようにすれば、送信符号は最新のビットおよび前に送信されたビットに依存する。つまり、変調中にメモリがあるといえる。そこで、従来のＧＭＳＫ変調信号の復調は、位相回転因子π／２で受信されたサンプルが逆回転することを必要とする。
【００３３】
例えば、本発明がＧＭＳＫを含む多重変調スキームを使用した通信システムと一緒に使用されれば、ＧＭＳＫ変調スキームに関連する位相回転は、例えば、８−ＰＳＫまたは４−ＰＳＫに従って変調された信号からＧＭＳＫ変調信号を区別するために、受信器によって利用可能となる。もちろん、８−ＰＳＫおよび４−ＰＳＫ変調スキームは、π／２以外の位相回転因子が割り当てられるであろう。本発明の実施形態では、４−ＰＳＫ変調スキームはπ／４の位相回転因子が割り当てられている。それに対して、８−ＰＳＫ変調スキームはπ／８の位相回転因子が割り当てられている。しかし、２つの変調スキームの１つにゼロ位相回転因子を含む固有位相回転因子を割り当てることにより、また区別が可能だということを当業者は理解するであろう。
【００３４】
本発明は、変調情報を送信するために使用することができるが、本発明が変調情報以外にシグナル情報を効率よく送信する帯域内シグナリングチャネルを実現するために使用できることを当業者は理解するであろう。例えば、符号化情報を送信する目的があるかもしれず、例えば、対向リンク方向（即ち、アップリンクまたはダウンリンク方向）に関連する電力レベルの増加または減少を指示するための電力制御指令を送信する目的があるかもしれない。
【００３５】
要約すると、本発明は、様々な変調スキームが同じ符号率およびトレーニングシーケンスを使用しているという事実にもかかわらず、特に、リンク適合の目的において、変調スキーム情報及びその類のものを送信帯域幅の増大または送信遅延なく受信器に送信するための多重変調スキームを使用する通信システムの送信器の送信技術を提供する。
【００３６】
本発明は実施形態を参照して説明された。しかし、本発明を上述の実施形態以外の具体的な形で例示することが、そして、それが本発明の精神から逸脱しないで実行されることが可能であることが当業者には明らかであろう。上述の実施形態は例示であり、いかなる制限があるとも考慮されてはならない。発明の範囲は上述の説明よりもむしろ、添付の請求項で与えられ、請求項に含まれるあらゆる変形例及び等価例はその請求項に含まれるように提供される。
【図面の簡単な説明】
【図１Ａ】
本発明に従う位相回転および位相逆回転技術を示す図である。
【図１Ｂ】
本発明に従う位相回転および位相逆回転技術を示す図である。
【図２Ａ】
本発明に従う更なる位相回転および位相逆回転技術を示す図である。
【図２Ｂ】
本発明に従う更なる位相回転および位相逆回転技術を示す図である。
【図２Ｃ】
本発明に従う更なる位相回転および位相逆回転技術を示す図である。
【図２Ｄ】
本発明に従う更なる位相回転および位相逆回転技術を示す図である。
【図３Ａ】
本発明に従う送信器の典型的な構成を示する図である。
【図３Ｂ】
本発明に従う受信器の典型的な構成を示する図である。
【図４Ａ】
トレーニング中の４−ＰＳＫおよび８−ＰＳＫの符号配置における点のサブセットの使用を示す図である。
【図４Ｂ】
トレーニング中の４−ＰＳＫおよび８−ＰＳＫの符号配置における点のサブセットの使用を示す図である。
【図１Ａ】
2004513531.tif 000003
【図１Ｂ】
2004513531.tif 000004
【図２Ａ】
2004513531.tif 000005
【図２Ｂ】
2004513531.tif 000006
【図２Ｃ】
2004513531.tif 000007
【図２Ｄ】
2004513531.tif 000008
【図３Ａ】
2004513531.tif 000009
【図３Ｂ】
2004513531.tif 000010
【図４Ａ】
2004513531.tif 000011
【図４Ｂ】
2004513531.tif 000012
【国際公開パンフレット】
2004513531.tif 000013
2004513531.tif 000014
2004513531.tif 000015
2004513531.tif 000016
2004513531.tif 000017
2004513531.tif 000018
2004513531.tif 000019
2004513531.tif 000020
2004513531.tif 000021
2004513531.tif 000022
2004513531.tif 000023
2004513531.tif 000024
2004513531.tif 000025
2004513531.tif 000026
2004513531.tif 000027
2004513531.tif 000028
2004513531.tif 000029
2004513531.tif 000030
2004513531.tif 000031
2004513531.tif 000032
2004513531.tif 000033
2004513531.tif 000034
2004513531.tif 000035
2004513531.tif 000036
2004513531.tif 000037
2004513531.tif 000038
2004513531.tif 000039
2004513531.tif 000040
2004513531.tif 000041
【国際公開パンフレット（コレクトバージョン）】
2004513531.tif 000042
2004513531.tif 000043
【国際調査報告】
2004513531.tif 000044
2004513531.tif 000045
2004513531.tif 000046